(57)【要約】 【課題】  ストライクを備えた可動コア（可動枠体）をトロヨケ内に簡単かつ確実にセットすること。【解決手段】  トロヨケと、トロヨケの奥の内壁面並びに上下の対向内壁との間にそれぞれ空隙部を設定して遊嵌合状態に嵌め込まれる可動コアと、可動コアの前面に一体的に設けられかつトロヨケから常時突出するストライクとを備え、地震発生時、可動コアがトロヨケ内に後退動するドア用錠受け金具に於いて、上下の空隙部に可動コアの上下の動きに対応して弾性変形可能な先端部を有する上下の保持板を配設し、一方、後方空隙部に可動コアの後退の動きに対応して弾性変形可能な後方の保持板を配設したこと。【選択図】  図１
2006299607.tif 000002
【特許請求の範囲】
【請求項１】
トロヨケと、該トロヨケの奥の内壁面並びに上下の対向内壁との間にそれぞれ空隙部を設定して遊嵌合状態に嵌め込まれる可動コアと、この可動コアの前面に一体的に設けられ、かつ、トロヨケから常時突出するストライクとを備え、地震発生時、可動コアがトロヨケ内の後方空隙部ないし上下の空隙部へと後退動するドア用錠受け金具に於いて、前記上下の空隙部に可動コアの上下の動きに対応して弾性変形可能な先端部を有する上下の保持板を配設し、一方、前記後方空隙部に可動コアの後退の動きに対応して弾性変形可能な後方の保持板を配設したことを特徴とするドア用錠受け金具。
【請求項２】
請求項１に於いて、上下の保持板は、その基端部は可動コアの上下の壁面にそれぞれ固定され、一方、先端部は、トロヨケの上下の内壁面にそれぞれ当接し得ることを特徴とするドア用錠受け金具。
【請求項３】
請求項１に於いて、後方の保持板は、その一端部側がトロヨケの後方側に固定され、一方、他端部側は、トロヨケの奥の内壁面に当接し得ることを特徴とするドア用錠受け金具。
【請求項４】
請求項１に於いて、トロヨケの前面に縦長状の開口部を有するカバープレートが一体的に設けられ、前記開口部から常時突出するストライクは、地震発生時、可動コアの後退動を介してカバープレートと面一の状態になる位置まで後退可能であることを特徴とするドア用錠受け金具
【請求項５】
請求項１に於いて、後方の保持板は、デッドボルトが可動コアの後方開口を介してトロヨケのケース部の奥の内壁面（底部）へと入り込むことができるように上下にニ分割されていることを特徴とするドア用錠受け金具。
【請求項６】
請求項１に於いて、上下の保持板を、基端部に設けた係合部を介して可動コアの上下の水平壁に着脱自在に取付けたことを特徴とするドア用錠受け金具。
【請求項７】
請求項１に於いて、後方の保持板を一端部側の係合部を介して可動コアの垂直の後壁に着脱自在に取付けたことを特徴とするドア用錠受け金具。
【発明の詳細な説明】
【技術分野】
【０００１】
本発明は、地震時に適合するドア用錠受け金具に関する。
【背景技術】
【０００２】
特許文献１は、出願人が提案したものである。該特許文献１には、「左右の側壁に切欠部を有しかつドア枠に嵌合状態に固定されるトロヨケと、切欠部にそれぞれ係合する保持（係合）ピンを有すると共に、少なくともトロヨケの奥の内壁面並びに上下の対向内壁との間にそれぞれ空隙部を設定して遊嵌合状態に嵌め込まれる枠状可動コアと、トロヨケ及び可動コアの正面側をカバーするように該可動コアに取り付けられるカバープレート（カバー状ストライク）とを備え、地震発生時、前記可動コアがストライクの傾斜状上下端部の変形に伴いトロヨケ内の後方空隙部ないし上下の空隙部へと多方向へ後退動するドア用錠受け金具」が記載されている。
【０００３】
また、特許文献２には、前記特許文献１の可動コアをそのまま利用した上で、錠受け金具のストライクを、固体ストライクと、可動ストライクとに区分し、前記固体ストライクをトロヨケの前面に固定する一方、可動ストライクを可動枠体（可動コア）に一体的に固定したものである。そして、トロヨケに対して、可動ストライクを可動枠体側の係合手段（例えば保持ピンと切欠部）及びバネ部材を介して固体ストライク（カバープレート）の前面から常時突出するように保持ないし付勢している。
【０００４】
ところで、特許文献１及び特許文献２の共通の問題点は、可動ストライクを備えた可動コアを保持する手段が、可動コア側の係合手段のみ（特許文献１）、又は可動コア側の係合手段及びトロヨケの奥の内壁面と可動コアの後壁面との間に設けた弓状板バネ（特許文献２）であることから、可動ストライクをトロヨケに組み込む際に、簡単にセット（保持）させることが出来なかった。換言すると、これらの特許文献に記載の受け金具は、可動コアを手に把持した状態でトロヨケ内に可動コアをセットしなければならず、非常に面倒であるという問題点があった。特許文献１では、可動ストライクをトロヨケに簡単にセット（保持）させるためには、例えばトロヨケの左右の側壁に、可動ストライクの小突起と係合する小さな被係合部（例えば係合小孔、内壁面に形成された小さな溝など）が形成する必要があった。
【特許文献１】特開２００４−３６２７０
【特許文献２】特開２００４−２９３１００
【発明の開示】
【発明が解決しようとする課題】
【０００５】
本発明の第１の目的は、ストライクを備えた可動コア（可動枠体）をトロヨケ内に簡単かつ確実にセットすることである。また第２の目的は、地震発生時、可動コアを保持する上下及び後方の保持板が可動コアの動きに対応して変形することである。第３の目的は、簡単な構成により、トロヨケ内の可動コアを確実に保持することである。第４の目的は、地震発生時、可動ストライクがトロヨケの前面に固定されたカバープレートと面一の状態になる位置まで後退可能であることである。その他、可動コアに対して保持板を簡単に取付けることができることである。
【課題を解決するための手段】
【０００６】
本発明のドア用錠受け金具は、トロヨケと、該トロヨケの奥の内壁面並びに上下の対向内壁との間にそれぞれ空隙部を設定して遊嵌合状態に嵌め込まれる可動コアと、この可動コアの前面に一体的に設けられ、かつ、トロヨケから常時突出するストライクとを備え、地震発生時、可動コアがトロヨケ内の後方空隙部ないし上下の空隙部へと後退動するドア用錠受け金具に於いて、前記上下の空隙部に可動コアの上下の動きに対応して弾性変形可能な先端部を有する上下の保持板を配設し、一方、前記後方空隙部に可動コアの後退の動きに対応して弾性変形可能な後方の保持板を配設したことを特徴とする。
【発明の効果】
【０００７】
（１）トロヨケ２内の上下の空隙部３１に可動コア３の上下の動きに対応して弾性変形可能な先端部を有する上下の保持板８を配設し、一方、トロヨケ内の後方空隙部３０に可動コアの後退の動きに対応して弾性変形可能な後方の保持板７を配設したので、組立時、ストライク４を備えた可動コア（可動枠体）３をトロヨケ２内に簡単かつ確実にセットすることができ、また、地震発生時、可動コア３を保持する上下及び後方の保持板７，８が可動コア３の動きに対応して変形する。したがって、組立作業能率の向上化を図ることができると共に、地震が発生した際にドアＤの開閉がスムースにできなくなる危険性を極力回避することができる。
（２）簡単な構成により、トロヨケ内の可動コアを確実に保持することができる。
（３）請求項４に記載の発明は、ドアの先端面とドア枠との間の「チリ」を稼ぐことができる。
（４）請求項５に記載の発明は、地震発生時、デッドボルトａが可動コア３の後方開口２４を介してトロヨケ２のケース部１５の奥の内壁面（底部）へと入り込むことができる。
（５）請求項６，７に記載の発明は、可動コアに対して保持板を簡単に取付けることができる。それ故に、交換自在である。
【発明を実施するための最良の形態】
【０００８】
以下、図１ないし図８を参照にして第１実施例を説明する。
【０００９】
（１）実施の環境
まず、図１及び図２を参照にして本発明の実施の環境部材を説明する。１はドア枠、２はドア枠に嵌合状態に固定されるトロヨケ、３はトロヨケの奥の内壁面並びに上下の対向内壁との間にそれぞれ空隙部３０，３１を設定して遊嵌合状態に嵌め込まれる枠状可動コア、４はこの可動コア３の前面に一体的に設けられ、かつ、トロヨケ２から常時突出する可動ストライク、一方、５はトロヨケ２の前面に一体的に設けられ、かつ、縦長状の開口部６を有するカバープレートである。
【００１０】
カバープレート５は、開口部６を形成する縦方向の一辺（縦縁部）に切欠部６ａを有していることから、開口部６から常時突出する可動ストライク４は、地震発生時、可動コア３の後退動を介してカバープレート５と面一の状態になる位置まで後退可能である。
【００１１】
なお、Ｄはドア枠１に対して開閉可能に設けられるドア、ａはドア側に設けた錠前の第１の施錠片（ここではデッドボルト）、ｂはデッドボルトａと並存的に設けられた錠前の第２の施錠片（ここでは鎌片）である。前記鎌片ｂは、施錠時、図１で示すようにデッドボルトａと水平方向に重なった状態で可動コア３の正面壁の内壁面に対してその先端部が掛合可能な状態となっている。
【００１２】
図１は、サッシ型ドア枠１にトロヨケ２に合わせたカバープレート５の開口部６から可動ストライク４が突出した状態で枠状可動コア３をトロヨケ２内に組込み込んでいる。しかも、該可動コア３は、後方の保持板７，７及び上下一対の保持板８，８を介してトロヨケ２内にセットされている通常の使用状態を示す。また、トロヨケ２とカバープレート５は固着具を介してドア枠１に固定されている。
【００１３】
（２）錠受け具の構成部材−ドア枠１
図２を参照にして錠受け具の構成部材を順番に説明する。なお、側壁、孔等の用語の一部の符号は省略する。
【００１４】
まず、簡略化したドア枠１から説明する。角筒部１０はドアＤの垂直端面と対向する一部のみを示してある。１０ａは正面壁、１０ｂは背面壁、１０ｃ，１０ｃは左右の側壁、１１は前記正面壁１０ａに形成された縦長状の受入れ口、１２は受入れ口に連通するように左側の上下の部位にそれぞれ垂直線状に切欠されたストライク用切欠溝、１３はこれらの切欠溝１２，１２付近の正面壁１０ａに形成された上下のネジ孔である。
【００１５】
（３）トロヨケ２
次にトロヨケ２について説明する。トロヨケ２の形状は普通一般のそれと同様である。すなわち、トロヨケ２の部分を区分けすると、ドア枠１の受入れ口１１にスッポリトと入り込む正面開口のケース部１５と、このケース部１５の開口１６側の上下端部にそれぞれ一体形成された突片状の取付け片１７，１７とから成り、前記取付け片１７，１７には、ドア枠１のネジ孔１３，１３と符合する貫通孔が形成されている。
【００１６】
しかして、本実施例では、前記ケース部１５の左右側壁の上下の部位には、左右一対の保持ピン逃し用切欠部２０，２０がそれぞれ計４個形成されている。矩形状切欠部２０の縁は、図１で示すように、それぞれ上下一対の可動コア用保持ピン（係合ピン）２１，２１と係合する。
【００１７】
すなわち、本実施例の各保持ピン２１は、左右一対の逃し用切欠部２０，２０をそれぞれ貫通する。これらの切欠部２０の縁は、通常の使用状態では、一つの保持ピン２１の外周面と一部係合する。
【００１８】
（４）可動コア３
次に可動コア３について説明する。可動コア３は、図３で示すように、複数個の開口を有する箱型形状に形成されている。すなわち、３ａ，３ａは上下の垂直正面壁、３ｂ，３ｂは上下の水平壁、３ｃ，３ｃは左右の対向側壁、３ｄ，３ｄは上下の正面壁３ｂ，３ｂと対向する上下の垂直後壁（背面）である。
【００１９】
しかして、前記垂直の正面壁３ａは、可動ストライク４に対して取付け板の機能を有すると共に、本実施例では、施錠時、鎌片ｂの先端部は、いずれか一方の正面壁３ａの内壁面に対して掛合可能な状態となる（鎌片は可動コアに対しては係合する）。
【００２０】
また上下の水平壁３ｂは、上下の保持板８に対して取付け板の機能を有する。したがって、これらの壁３ｂには、例えば符号を付さない固着具用のネジ孔がそれぞれ形成されている。また左右の側壁３ｃには、保持ピン用挿通孔２２がそれぞれ形成されている。また、上下の垂直後壁（背面）３ｂは、後方の保持板７に対して取付け板の機能を有する。
【００２１】
さらに、上下の正面壁３ａ，３ａの間には、縦長の前方開口２３が形成され、一方、上下の後壁３ｄ，３ｄの間には、断面コ字型状の施錠片用受け片２５を介して上下に後方開口２４がそれぞれ設けられている。
【００２２】
ところで、本実施例の垂直正面壁３ａ，３ａは、左右の側壁３ｃ，３ｃの端面より若干突出している。また、可動コア３に入り込んだデッドボルトａの下面と前記受け片２５の水平上板部との間には、多少のクリアランスが設定されているが、地震発生時、受け片２５はドア枠の変形によってデッドボルトａの下面と水平上板部とが互いに衝突し合った場合、その衝撃力を受ける。
【００２３】
また本実施例では鎌片ｂも設けられているので、デッドボルトａと同時に鎌片ｂが後退しながら上昇した場合には、可動コア３の前方開口２３の上縁部が、両方の施錠片ａ，ｂからその衝撃力を受ける。したがって、可動コア３は、両方の施錠片ａ，ｂがトロヨケ２側に移動してきた時、施錠片用受け片２５の水平上板部等を介して後退上下動可能な状態となる。
【００２４】
（５）可動ストライク４
次に可動ストライク４について説明する。本実施例の可動ストライク４は、上下に固着具用の取付け孔５ａ，５ａを有するカバープレート５とは別個の部材である。図１，図２で示すように、可動ストライク４は、カバープレート５よりも短い反面、可動コア３により若干長い。
【００２５】
この可動ストライク４は、正面視逆コ字型形状或いはコ字型形状の前板４ａと、この前板４ａの上下幅広部分の端部をそれぞれ折り曲げて形成した上下端板４ｂ，４ｂと、前板４ａの縦方向の一辺を折り曲げて形成した側端板４ｃとを有し、前記上下幅広部分には、可動コア３の孔と符合する固着具２６用の孔２７がそれぞれ設けられていると共に、前記上下端板４ｂ，４ｂの一端と側端板４ｃの端部との間には、カバープレート５の縦縁の切欠部６ａに対向する小切欠部２８が設けられている。
【００２６】
なお、可動ストライク４の形状に関しては、コ字型形状に限定するものではなく、例えば縦長状の開口を有する矩形状でも良い。また側端板４ｃは、サッシ型のドア枠１の切欠溝１２を考慮したものであり、本発明の限定要件ではない。
【００２７】
（６）後方の保持板７
後方の保持板７は、図１で示すように、本実施例では、デッドボルトａが可動コア３の後方開口２４を介してトロヨケ２のケース部１５の奥の内壁面（底部）へと入り込むことができるように上下にニ分割され、かつ、後方空隙部３０に配設されている。
【００２８】
本実施例では、上下の後方保持板７は、取付け側の一端部側７ａがそれぞれ鉤状に折り曲げ形成されて係合部となっており、該係合端部７ａは、可動コア３の上下の垂直後壁３ｄにそれぞれ着脱自在に係合する。一方、一端部側７ａに連設する他端部側７ｂは、その傾斜状部分の端部が垂直方向に折り曲げ形成されて当接部となっている。
【００２９】
しかして、後方の保持板７の他端部側７ｂは、少なくとも、可動コア３の後退の動きに対応して弾性変形可能（弾性変形機能）である。また、後方の保持板７は、例えば合成樹脂材で形成された「樹脂バネ」であり、望ましくは、地震発生後、外的な衝撃力がなくなった瞬間、材質自体の弾性復帰力により、直ちに元の保持状態を確保するための働き（弾性復帰変形機能）をする。
【００３０】
（７）上下の保持板８
一方、上下の保持板８は、図１で示すように、トロヨケ２の上下の内壁面と可動コア３の水平上下壁３ｂ，３ｂとの間に設定された上下の空隙部３１，３１内にそれぞれ位置するように線対象状態に配設されている。ここでの線対象は、可動コア３の中心を通る横線を対象中心線とした場合に於ける上下の線対象を意味する。
【００３１】
本実施例の保持板８は、上下一対で「一組」を構成し、それぞれ断面釣り針状に形成されている。そして、各保持板８の基端部８ａ，８ａは、可動コア３の水平上下壁３ｂに固定手段（例えばオネジ）９を介してそれぞれ固定され、かつ、フック状先端部８ｂは、トロヨケ２の上下の内壁面２ｂにそれぞれ当接する。したがって、特に符号を付さないが、保持板８及び可動コア３の上下壁３ｂの適宜箇所には、取り付け孔がそれぞれ形成されている。
【００３２】
しかして、上下一組の保持板８の先端部８ｂは、少なくとも可動コア３の上下の動きに対応して弾性変形可能（弾性変形機能）である。保持板８も、例えば合成樹脂材で形成された「樹脂バネ」であり、望ましくは、地震発生後、外的な衝撃力がなくなった瞬間、材質自体の弾性復帰力により、直ちに元の保持状態を確保するための働き（弾性復帰変形機能）をする。
【００３３】
（８）各部材の組み合わせ
まず、カバープレート５をトロヨケ２の前面に合わせるようにする。一方、可動コア３の上下の保持板８並びに後方の保持板７の一端部側（取付け端部）を固定する。本実施例では、上下の保持板８は、固定手段（固着具）９を介して可動コア３の上下の水平壁３ｂに固定され、一方、後方の保持板７は、係合部としての一端部側７ａを可動コア３の上下の後方垂直壁３ｄに嵌め込む。保持板７の一端部側７ａは、本実施例では、弾性力があるので、後方垂直壁３ｄに一体的に圧接係合する。また、可動コア３の前面に可動ストライク４の前板４ａを、固定手段（固着具）２６を介して一体的に固定する。
【００３４】
次に、保持板７，８及び可動ストライク４を備えた可動コア３をトロヨケ２内にセットする。セットすると、すなわち、可動コア３をトロヨケ２内に単に嵌め込むと、可動コア３は、上下の保持板８並びに後方の保持板７に保持される。そこで、可動コア用保持ピン２１をトロヨケ２の逃し用切欠部２０及び可動コア３の挿通孔２２に通す。これにより、可動コア３はトロヨケ２から外れない。
【００３５】
トロヨケ２に可動コア３を一体的に組み付けると、受け金具の可動ストライク４は、カバープレート５の開口部６から突出した状態となる。そこで、受け金具を、固定手段（固着具）３３を介して戸枠１の角筒部１０に固定する（図１参照）。
【００３６】
（８）保持板の作用
図１の使用状態を前提として、今仮に、地震発生時、受け金具に対して上下方向Ｙの力（当然、前後方向Ｘの力も同時に発生した場合も含む）が作用すると、可動コア３はその受け片２５を介して施錠片から強い衝撃力を受ける。そこで、上下の保持板８の先端部８ｂは、例えば図６で示すように変形する。
【００３７】
一方、今仮に、受け金具に対して可動ストライク４の前板４ａに対して前後方向Ｘの力（当然、上下方向Ｙの力も同時に発生した場合も含む）が作用すると、可動コア３は、図７で示すように、可動ストライク４の前板４ａを介してドアＤから強い衝撃力を受ける。そこで、可動ストライク４がトロヨケ２の奥へと後退動すると、後方の保持板７の他端部側７ｂは、例えば図８で示すように変形する。
【００３８】
なお、可動コア３は、上下方向Ｙ及び前後方向Ｘへ移動する時、幅広の保持ピン逃し部２０を介して移動可能である。また、保持板７，８の作用（弾性変形機能や弾性復帰変形機能）については前述したとおりである。
【実施例】
【００３９】
まず、保持板８の固定手段は、本実施例では、固着具９であるが、係合、溶着等の方法であっても良い。また、上下の保持板８は、少なくとも弾性変形機能を有していれば十分である。また、保持板８の形態に関しては、望ましくは、（ａ）剛性的機能、（ｂ）弾性変形機能、（ｃ）弾性復帰変形機能を有している限り、実施例の形状に限定するものではない。
【００４０】
一方、後方の保持板７も、弾性変形機能を有していれば十分である。後方の保持板７に関しては、弾性復帰変形機能は発明の特定要件ではない。何故ならば、本実施例の後方の保持板７は、仮に変形した場合、着脱自在な一端部（係合部）側７ａを介して新しい保持板７に簡単に交換できるからである。また、保持板７の弾性変形機能に関しては、本実施例のように、例えば変形部分を括れ状態に形成すると変形し易くなる。
【００４１】
さらに、施錠片用受け片の形状等は任意に設計変更可能である。また、例えば可動コアの左右の側壁に施錠片用の可動受け部材を設けても良い。
【００４２】
次に、第２実施例及び第３実施例について説明する。これらの実施例の説明にあたって、第１実施例と同一の部分には、同一又は同様の符合を付して重複する説明を省略する。
【００４３】
図９乃至図１１に示す第２実施例について説明する。第２実施例において、前記第１実施例と主に異なる点は、保持ピン２１に対する逃し用切欠部２０Ａと挿通孔２２Ａの形成対象を設計変更したことである。すなわち、例えば図１０で示すようにトロヨケ２Ａの左右の側壁の方に保持ピン２１，２１用の挿通孔２２Ａ，２２Ａを上下にそれぞれ形成し、一方、可動コア３Ａの左右の側壁３ｃ，３ｃに、保持ピン逃がし用切欠部２０Ａ，２０Ａを上下にそれぞれ形成したことである。
【００４４】
この第２実施例の上下の保持ピン２１，２１と上下の切欠部２０Ａ，２０Ａとの係合関係は、図９に示す通りである。後方の保持板７並びに上下の保持板８の形状、取り付け箇所、作用等については、第１実施例と同一なので、重複説明を省略する。このように設計変更しても第１実施例と同一の作用・効果がある。
【００４５】
また、図１２乃至図１５に示す第３実施例について説明する。この第３実施例において、前記第１実施例と主に異なる点は、
（あ）上下の保持板８Ｂを可動コア３Ｂの上下の水平壁３ｂ，３ｂに着脱自在に取付けた点である。その一例として、上下の保持板８Ｂの基端部８ａに小突起状の係合部４１を設け、一方、上下の水平壁３ｂ，３ｂの孔を前記係合部４１が係合する貫通状態の係合小孔４２としている。なお、この係合関係は逆であっても良い。
（い）また、施錠片用受け片２５Ａを大径部と小径部を有する棒状体に形成すると共に、可動コア３Ｂの左右の側壁３ｃに垂直案内長孔４３をそれぞれ形成し、該垂直案内長孔４３に受け片２５Ａを上下動自在に架設したことである。
【００４６】
前記（あ）のように構成すると、上下の保持板８Ｂを可動コア３Ｂの水平壁３ｂに簡単に装着することができる。
【図面の簡単な説明】
【００４７】
図１乃至図８は本発明の第１実施例を示す各説明図。図９乃至図１１は本発明の第２実施例を示す各説明図、図１２乃至図１５は本発明の第３実施例を示す各説明図。
【図１】第１実施例の実施形態を示す概略説明図（通常の使用状態）。
【図２】分解斜視図。
【図３】主たる部材（可動コアと、カバープレート、保持板）の分解斜視図。
【図４】主要部の平面視からの概略説明図。
【図５】図４に於いて、横断面から見た概略説明図。
【図６】地震発生時、上下の保持板の機能を示す概略説明図。
【図７】地震発生時、受け金具にＸ方向の力が作用する旨の説明図。の可動コアの状態を示す概略断面説明図（平面視）。
【図８】図７に於いて、後方の保持板の機能を示す概略説明図。
【図９】第２実施例の実施形態を示す概略説明図（通常の使用状態）。
【図１０】分解斜視図。
【図１１】地震発生時の可動コアの状態を示す概略断面説明図。
【図１２】第３実施例の概略断面説明図。
【図１３】可動ストライク側から見た説明図。
【図１４】保持板８Ｂと可動コア３Ｂとの係脱関係を示す説明図。
【図１５】（ａ）は保持板８Ｂの正面図、（ｂ）は保持板８Ｂの右側面図、（ｃ）は保持板８Ｂの平面図である。
【符号の説明】
【００４８】
Ｘ…前後方向、Ｙ…上下方向、１…ドア枠、２，２Ａ…トロヨケ、３，３Ａ，３Ｂ…可動コア、３ａ…上下の正面壁、３ｂ…上下の水平壁、３ｃ…左右の側壁、３ｄ…上下の垂直後壁、４…可動ストライク、Ｄ…ドア、ａ，ｂ…施錠片、７…後方の保持板、７ａ…一端部側、７ｂ…他端部側、８，８Ｂ…上下の保持板、８ａ…基端部、８ｂ…先端部、９，２６，３３…固定手段、１０…角筒部、１５…ケース部、１６…トロヨケの開口、１７…取付け片、２０，２０Ａ…保持ピン逃し用切欠部、２１…保持ピン、２２，２２Ａ…挿通孔、２３…前方開口、２４…後方開口、２５，２５Ａ…施錠片用受け片、３０…後方空隙部、３１…上下の空隙部、４１…係合部、４２…係合小孔、４３…垂直案内長孔。
【図１】
2006299607.tif 000003
【図２】
2006299607.tif 000004
【図３】
2006299607.tif 000005
【図４】
2006299607.tif 000006
【図５】
2006299607.tif 000007
【図６】
2006299607.tif 000008
【図７】
2006299607.tif 000009
【図８】
2006299607.tif 000010
【図９】
2006299607.tif 000011
【図１０】
2006299607.tif 000012
【図１１】
2006299607.tif 000013
【図１２】
2006299607.tif 000014
【図１３】
2006299607.tif 000015
【図１４】
2006299607.tif 000016
【図１５】
2006299607.tif 000017